(57)【要約】      （修正有）【課題】配管外装筒の分岐作業の際に、筒状の配管外装筒表面に、迅速に、正確な切断面を形成するための配管外装筒ガイドシールを提供する。【解決手段】配管外装筒切断用シール１００のシール本体３の裏面には粘着層３１が設けられており、粘着層３１に接するように、シール本体３と略同形状の剥離紙４が設けられている。シール本体３の表面には、配管外装筒を切断する際の切断線を示すガイド線１が印刷されており、ガイド線１の脇には寸法記載７が印刷されている。実施の形態１の配管外装筒切断用シール１００は、配管外装筒をＴ字に分岐させる際に使用するものであり、ガイド線１は、横長の楕円に近い形状が、比率を変えて複数個、表示されている。シール本体３に印刷された寸法表示７は、複数表示されたガイド線１の楕円形が、それぞれ、どの寸法の配管外装筒に対応するかの寸法を表示している。【選択図】図２
0003205731.tif 000002
【実用新案登録請求の範囲】
【請求項１】
主配管外装筒の外周表面に、前記主配管外装筒に分岐配管外装筒を挿入する開口形成場所を表示するガイド線が印刷された印刷面と、
前記印刷面の反対面に設けられ、前記主配管外装筒の外周面に接着する粘着層と、
粘着層に剥離可能に貼付された剥離紙と、を有することを特徴とする配管外装筒切断ガイドシール。
【請求項２】
分岐配管外装筒の外周表面に、前記分岐配管外装筒を主配管外装筒に接続する際の接続位置を示すガイド線が印刷された印刷面と、
前記印刷面の反対面に設けられた前記分岐配管外装筒の外周面に接着する粘着層と、
前記粘着層に剥離可能に貼付された剥離紙と、を有することを特徴とする配管外装筒切断ガイドシール。
【請求項３】
前記剥離紙は、中央近傍に二本の切り込み線を有していることを特徴とする請求項１又は請求項２に記載の配管外装筒切断ガイドシール。
【考案の詳細な説明】
【技術分野】
【０００１】
この考案は、配管を保護する配管外装筒を切断する際、切断部分を容易に知ることができ、切断作業が迅速に行える配管外装筒切断ガイドシールに関するものである。
【背景技術】
【０００２】
上下水用の配管類、空調機器の配管類は、急激な温度変化や水濡れから守るため、配管の周囲を保護材で覆い、その上から、薄い鉄板、ビニール、厚紙その他を筒形状にした配管外装筒で覆われた構成となっている。
【０００３】
上下水道の配管や空調に使用される配管は、一旦設置されると、取り外すことが困難であるため、配管の分岐作業や配管を覆っている配管外装筒の分岐作業は、現地に赴いて、その場で配管や配管外装筒を切断し分岐する作業が必要である。配管外装筒の切断について、一般的な手順は、まず、配管外装筒の表面に筆記用具や細い鉄針を先端に装着したペン型器具等でガイド線を描き入れ、それから、描き入れたガイド線に沿って、又は、ガイド線のすこし外側を、鋏その他の切断工具で切断していく。上下水道の配管外装筒や空調に使用される配管外装筒は、表面が平らではないので、外装筒表面に、ガイド線を描き入れる作業は容易ではない。また、配管及び配管外装筒が設置されている場所は、作業スペースが十分ではないことが多く、迅速に正確な切断線を描けるようになるまでには、相当の実務経験を要する。
【０００４】
そこで、これらの問題を改善するため、実務経験の浅い者にも、簡単に配管や筒状の外装筒の切断作業が行えるよう、各種、配管や配管外装筒の切断用工具が考案されている。特許文献１のＬ字形パイプ切断水平器付き定規は、Ｌ字形の定規に鋸ガイド用切込みを入れたもので、パイプ形状の材料を正確に垂直切断できる。また、特許文献２のパイプ等の切断用治具は、鋸を鋸刃ガイドに挟んだ状態でパイプにあてがい切断作業するもので、パイプを容易に垂直に切断する。
【０００５】
しかし、特許文献１のＬ字形パイプ切断水平器付き定規も、特許文献２のパイプ等の切断用治具も、パイプや筒状物を正確に垂直に切断するものである。配管分岐作業に伴い配管外装筒を切断する作業では、筒状の配管外装筒を垂直に切断するほか、複数の配管外装筒を分岐させ、組み合わせる作業が必要な場面も多い。筒状の配管外装筒をＴ字に分岐させたり、Ｙ字に分岐させたりする場合、配管外装筒は垂直に切断するのではなく、斜めにカットしたり、開口を形成する必要がある。また、接続する配管外装筒と接続される配管外装筒を、隙間なくぴったりとつなぐには、分岐点の断面が同じとなるよう正確に切断することが求められる。配管外装筒の切断作業及び分岐作業は、配管をどのように切断するか展開図を持参して、配管外装筒の表面にガイド線を描き入れていくことが一般的に行われている。配管外装筒切断用の柳刃鋏を用いて配管外装筒を、その場で切断することは、足場が悪い場所、スペースが狭い場所では困難を伴い、作業に多大な時間を要する。
【特許文献１】実用新案登録第３１３９４７３号公報
【特許文献２】実開平７−５５６６号公報
【考案の概要】
【考案が解決しようとする課題】
【０００６】
そこで、本考案は、上記事情に鑑み、足場の悪い、狭いスペースでも、迅速かつ簡単に、正確に配管外装筒を切断できる配管外装筒切断ガイドシールを提供する。
【課題を解決するための手段】
【０００７】
本考案の配管外装筒切断ガイドシールは、主配管外装筒の外周表面に、前記主配管外装筒に分岐配管外装筒を挿入する開口形成場所を表示するガイド線が印刷された印刷面と、前記印刷面の反対面に設けられ、前記主配管外装筒の外周面に接着する粘着層と、粘着層に剥離可能に貼付された剥離紙と、を有することを特徴とする。
【０００８】
この考案によれば、ガイド線に沿って、柳刃鋏で配管外装筒を切断すればよいので、配管外装筒の切断作業の際、コンパスやペンで、切断線を記入していく工程を省くことができ、作業に要する時間が大幅に短縮できる。また、冬場で配管外装筒表面が凍結していたり、雨天で配管外装筒表面が濡れておりペンで記入できないときでも、配管外装筒切断ガイドシールの強力な粘着層が、配管外装筒表面にしっかり吸着するので、簡単に、正確に配管外装筒を切断していくことができる。
【０００９】
また、本考案の配管外装筒切断ガイドシールは、分岐配管外装筒の外周表面に、前記分岐配管外装筒を主配管外装筒に接続する際の接続位置を示すガイド線が印刷された印刷面と、前記印刷面の反対面に設けられた前記分岐配管外装筒の外周面に接着する粘着層と、前記粘着層に剥離可能に貼付された剥離紙と、を有することを特徴とする。
【００１０】
この考案によれば、配管外装筒の分岐作業を行う際、分岐配管外装筒の切断においては、ガイド線に沿って、柳刃鋏で配管外装筒を切断すればよいので、配管外装筒の切断作業の際、コンパスやペンで、切断線を記入していく工程を省くことができ、作業に要する時間が大幅に短縮できる。また、冬場で配管外装筒表面が凍結していたり、雨天で配管外装筒表面が濡れておりペンで記入できないときでも、配管外装筒切断ガイドシールの強力な粘着層が、配管外装筒表面にしっかり吸着するので、簡単に、正確に配管外装筒を切断していくことができる。
【００１１】
また、本考案の配管外装筒切断ガイドシールの前記剥離紙は、中央近傍に二本の切り込み線を有していることを特徴とする。
【００１２】
この考案によれば、剥離紙を、部分的に剥離して粘着層を露出させたうえ、配管外装筒に粘着し、上手に粘着でき位置が正確であることを確認したのちに、他の部分の剥離紙を剥離して、他の部分を粘着していくことができる。粘着面が少ないので、配管外装筒切断ガイドシールの位置を変えて貼付しなおす際に、剥離しやすく、皺がよりにくい。また、位置を修正し再貼付したとき、露出部分の粘着層の粘着力が低下した場合は、他の部分の剥離紙を剥離して新たな粘着層を露出させて貼付させればよいので、配管外装筒切断ガイドシールを綺麗に、正確な位置に貼付することができる。
【図面の簡単な説明】
【００１３】
【図１】本考案の配管外装筒切断ガイドシール１００の平面図である。
【図２】（ａ）は、本考案の配管外装筒切断ガイドシール１００を説明するための参考平面図であって（ｂ）は、本考案の配管外装筒切断ガイドシール１００の底面図である。
【図３】本考案の配管外装筒切断ガイドシール１００の使用方法を説明するための参考図である。
【図４】本考案の配管外装筒切断ガイドシール１００の使用方法を説明するための参考図である。
【図５】本考案の配管外装筒切断ガイドシール１００の使用方法を説明するための参考図である。
【図６】（ａ）及び（ｂ）は、本考案の配管外装筒切断ガイドシール１００の使用方法を説明するための参考図である。
【図７】（ａ）及び（ｂ）は、本考案の配管外装筒切断ガイドシール１００の使用方法を説明するための参考図であって、（ｃ）は、本考案の配管外装筒切断ガイドシール１００を用いて配管を切断し組み立てた後の参考図である。
【図８】本考案の配管外装筒切断ガイドシール２００の平面図である。
【図９】本考案の配管外装筒切断ガイドシール２００を説明するための参考平面図である。
【図１０】本考案の配管外装筒切断ガイドシール２００を説明するための参考平面図である。
【図１１】本考案の配管外装筒切断ガイドシール２００の使用方法を説明するための参考図である。
【図１２】本考案の配管外装筒切断ガイドシール２００の使用方法を説明するための参考図である。
【図１３】本考案の配管外装筒切断ガイドシール３００の平面図である。
【図１４】（ａ）及び（ｂ）は、本考案の配管外装筒切断ガイドシール３００を説明するための参考図である。
【図１５】（ａ）は、本考案の配管外装筒切断ガイドシール４００の平面図であって、（ｂ）は、本考案の配管外装筒切断ガイドシール４００の使用方法を説明するための参考図である。
【図１６】（ａ）及び（ｂ）は、本考案の配管外装筒切断ガイドシール４００の使用方法を説明するための参考図である。
【図１７】本考案の配管外装筒切断ガイドシール４００を使用して作成した分岐配管外装筒を示す参考図である。
【図１８】（ａ）は、本考案の配管外装筒切断ガイドシール５００の平面図であって、（ｂ）は、本考案の配管外装筒切断ガイドシール５００の使用方法を説明するための参考図である。
【図１９】（ａ）及び（ｂ）は、本考案の配管外装筒切断ガイドシール５００の使用方法を説明するための参考図である。
【図２０】（ａ）は、本考案の配管外装筒切断ガイドシール６００の平面図であって、（ｂ）は、本考案の配管外装筒切断ガイドシール６００の使用方法を説明するための参考図である。
【図２１】（ａ）及び（ｂ）は、本考案の配管外装筒切断ガイドシール６００の使用方法を説明するための参考図である。
【図２２】（ａ）及び（ｂ）は、本考案の配管外装筒切断ガイドシール５００及び６００を用いて配管外装筒を切断し組み立てた後の参考図である。
【考案を実施するための形態】
【００１４】
以下、本考案を実施するための最良の形態について、実施の形態毎に説明する。
【００１５】
（実施の形態１）
図１は、本考案の配管外装筒切断ガイドシール１００の平面図である。図２（ａ）は、本考案の配管外装筒切断ガイドシール１００を説明するための参考平面図であって（ｂ）は、本考案の配管外装筒切断ガイドシール１００の底面図である。
【００１６】
図１に示すように、配管切断用シール１００は、略四角形であって、裏面に粘着層３１を有するシール本体３と、シール本体３の粘着層３１に貼付された剥離紙４を主に有する。シール本体３の表面すなわち粘着層３１が設けられている面とは反対の面には、ガイド線１及び寸法記載７が印刷されている。
【００１７】
シール本体３は、ポリプロピレンを主原料とした合成紙タック紙、ポリ塩化ビニル樹脂から製造された塩ビタック紙、透明のポリエス鉄系の透明フィルムタック紙等からなる透明なシール本体３である。配管外装筒切断用シール１００は、配管外装筒に貼付したうえで、柳刃鋏で配管外装筒切断用シール１００と配管外装筒とを一緒に切断するため、配管外装筒切断用シール１００は、貼付した配管外装筒が透けて見えるように透明なシール本体３であることが望ましいが、紙製その他の不透明な素材を用いてもよい。
【００１８】
図２（ａ）に示すように、配管外装筒切断用シール１００のシール本体３の裏面には粘着層３１が設けられており、粘着層３１に接するように、シール本体３と略同形状の剥離紙４が設けられている。シール本体３の表面には、配管外装筒を切断する際の切断線を示すガイド線１が印刷されており、ガイド線１の脇には寸法記載７が印刷されている。実施の形態１の配管外装筒切断用シール１００は、配管外装筒をＴ字に分岐させる際に使用するものであり、ガイド線１は、横長の楕円に近い形状が、比率を変えて複数個、表示されている。シール本体３に印刷された寸法表示７は、複数表示されたガイド線１の楕円形が、それぞれ、どの寸法の配管外装筒に対応するかの寸法を表示している。
【００１９】
ガイド線１で表示された楕円形状の中心点にあたる部分に、中心点２が印刷されている。配管外装筒をＴ字に分岐させる際は、まず最初に、Ｔ字の上側にあたる配管外装筒に開口をあけ、当該開口に垂直に配管外装筒の先端を差し入れて二本の配管外装筒を接合及び接着する。本考案の実施の形態１の配管切断用シール１００は、Ｔ字の上側にあたる主配管外装筒にあける開口を形成するためのものであり、ガイド線１は、分岐させる配管外装筒の先端を差し入れたときに外周にぴったりと沿う輪郭となっている。
【００２０】
図２（ｂ）に示すように、本考案の配管外装筒切断ガイドシール１００の裏面には、剥離紙４が設けられている。剥離紙４は、シール本体３と、略同形状である。剥離紙４の中央近傍には、二本、平行に切込線４１が設けられている。二本の切込線４１に囲まれた部分の剥離紙４をシール本体３から剥がすと、剥離紙４がなくなった長方形状の部分のみ粘着層３１が露出する。
【００２１】
次に、図３から図７を示しながら、本考案の配管外装筒切断ガイドシール１００の使用方法について説明する。図３は、本考案の配管外装筒切断ガイドシール１００の使用方法を説明するための参考図である。図４から図６は、本考案の配管外装筒切断ガイドシール１００の使用方法を説明するための参考図である。図７は、（ａ）及び（ｂ）は、本考案の配管外装筒切断ガイドシール１００の使用方法を説明するための参考図であって、（ｃ）は、本考案の配管外装筒切断ガイドシール１００を用いて配管外装筒を切断し組み立てた後の参考図である。
【００２２】
まず最初に、配管外装筒切断ガイドシール１００の裏面の剥離紙４を、二本の切込線４１に囲まれた部分のみ剥離し、粘着層３１を露出させる。それから、図３に示すように、切断したい配管外装筒の切断したい部分に、配管外装筒切断ガイドシール１００を貼付する。配管外装筒切断ガイドシール１００は、配管外装筒中腹で分岐させる際に分岐配管外装筒を挿入する開口を形成するためのものである。配管外装筒の外周表面の分岐配管外装筒を挿入する開口を形成したい部分に、配管外装筒切断ガイドシール１００を、あてがう。そして、剥離紙４の中央近傍の二本の切込線４１に囲まれた部分すなわち粘着層３１が露出した部分を配管外装筒に貼付したら、ゆっくりと、両脇の剥離紙４も剥離して、図４のように、シール本体３全体を、配管外装筒の外周表面に貼付する。
【００２３】
それから、図５に示すように、配管外装筒切断ガイドシール１００に印刷されたガイド線１に沿って、柳刃鋏Ｙを入れ、ガイド線１のとおりに配管外装筒表面を切って、開口を形成する。ガイド線１は、複数表示されているので、そのなかから、寸法記載７を参考に、接続したい配管外装筒の寸法に対応したガイド線１を選択して切断する。最初に、中心点２に柳刃鋏Ｙの先端を突き刺して開口をあけたあとに、その開口を広げるように柳刃鋏Ｙで切り開いて開口を形成していくと切断しやすい。
【００２４】
図６（ａ）示すように、ガイド線１に沿って切断した開口が形成できたら、分岐用の配管外装筒の先端を当該開口に挿入する。図６（ｂ）のように、分岐用の配管外装筒が挿入できたら、開口の端縁に沿った線を分岐用配管外装筒に描き入れる。切断線を描き入れたら、分岐用の配管外装筒を一旦抜き出し、描き入れた切断線より少し外側を、柳刃鋏Ｙで、図７（ａ）に示すように、分岐用の配管外装筒を切断する。さらに、図７（ｂ）に示すように、さきほど描き入れた開口の端縁に沿った線まで、柳刃鋏Ｙで、切り込みを数箇所入れる。切断し、端縁に切り込みを入れた分岐用の配管外装筒を、再度、配管外装筒切断ガイドシール１００が貼付された配管外装筒の開口に挿入して、挿入後、切り込み部分を開いて、分岐用配管外装筒が抜けないよう固定する。固定後、配管外装筒切断ガイドシール１００を配管外装筒からはがし、接合部分にシリコンコーティングを行って配管外装筒同士をしっかりと接着させ、図７に示すようなＴ字に分岐させた配管外装筒を完成させる。
【００２５】
Ｔ字形状に分岐した配管外装筒を形成する場合、配管外装筒の外周面に分岐させる配管外装筒がぴったりと入るような開口を形成する作業が、一番困難な作業である。本考案の配管外装筒切断ガイドシール１００を使用すれば、分岐用の配管外装筒が入る開口が簡単に迅速に形成できる。実務経験の浅い技術者や、言語によるコミュニケーションが困難な外国人労働者でも、容易に、正確な寸法の開口を形成できる。
【００２６】
（実施の形態２）
次に、図８から図１２を示しながら、本考案の実施の形態２の配管外装筒切断ガイドシール２００について説明する。図８は、本考案の配管外装筒切断ガイドシール２００の平面図である。図９から図１０は、本考案の配管外装筒切断ガイドシール２００を説明するための参考平面図である。図１１から図１２は、本考案の配管外装筒切断ガイドシール２００の使用方法を説明するための参考図である。
【００２７】
図８に示すように、本考案の実施の形態２の配管外装筒切断ガイドシール２００は、略四角形であって、裏面に粘着層３１を有するシール本体３と、シール本体３の粘着層３１に貼付された剥離紙４を主に有する。シール本体３の表面すなわち粘着層３１が設けられている面とは反対の面には、ガイド線１及び寸法記載７が印刷されている。また、シール本体３の一角である右上端近傍には、シール本体３の右上角と一体となって三角形を形成する斜めに引かれた直線が印刷され、めくり部６が形成されている。
【００２８】
配管切断用シール２００は、配管外装筒の外周面ではなく、配管外装筒の始点または終点に設けられた蓋面や底面に円形の開口を形成したい場合に用いる。開口を形成したい平面に貼付したうえで、柳刃鋏で配管切断用シール２００と配管外装筒とを一緒に切断する。配管切断用シール２００は、貼付した配管外装筒が透けて見えるように透明なシール本体３であることが望ましいが、不透明なシール本体３でもよいし、赤色や黄色等、目立つ色に着色したシール本体３として、作業者が、作業個所すなわち開口を形成する箇所を見つけやすくしてもよい。
【００２９】
図９に示すように、配管切断用シール２００のシール本体３の裏面には粘着層３１が設けられており、粘着層３１に接するように、シール本体３と略同形状の剥離紙４が設けられている。シール本体３の表面には、配管外装筒を切断する際の切断線を示すガイド線１が印刷されており、ガイド線１の脇には寸法記載７が印刷されている。実施の形態２の配管切断用シール２００は、正確な円形状の開口を形成するためのものであり、ガイド線１は、円形状の描画線が、比率を変えて複数個、表示されている。ガイド線１で表示された円形状の中心点にあたる部分には、中心点２が印刷されている。
【００３０】
配管外装筒に円形の開口を形成する方法について説明する。まず最初に、図９に示すように、シール本体３の一角を指でつまんで、剥離紙４からシール本体３を剥離する。それから、図１０に示すように、剥離したシール本体３の一角を、めくり部６の線のところから内側に折り込み、粘着層３１同士を接着させる。このようにして角を折り込んでおくと、作業時に、シール本体３から剥離紙４を手早く剥離することができる。
【００３１】
次に、図１１に示すように、円形状の開口を形成したい部分に、本考案の配管外装筒切断ガイドシール２００を貼付し、中心点２の部分に柳刃鋏Ｙの先端を突き入れて穴をあけ、その穴を広げていくように、ガイド線１に沿って切っていき、図１２に示すように、円形の開口を形成する。開口が形成できたら、配管外装筒切断ガイドシール２００を配管外装筒からはがす。配管外装筒からはがす際、シール本体３の角に、めくり部６があるので、指でつまみやすく、軍手をしていたり、冬場で手がかじかんでいても、迅速に、容易に、配管切断用シール２００を配管外装筒からはがすことができる。本考案の配管外装筒切断ガイドシール２００を使用すれば、配管外装筒に、正確な円形状の開口を、簡単に迅速に形成できる。実務経験の浅い技術者や、言語によるコミュニケーションが困難な外国人労働者でも、容易に、正確な寸法の円形の開口を形成することができる。
【００３２】
（実施の形態３）
次に、図１３及び図１４を示しながら、本考案の実施の形態３の配管外装筒切断ガイドシール３００について説明する。図１３は、本考案の配管外装筒切断ガイドシール３００の平面図である。図１４（ａ）及び（ｂ）は、本考案の配管外装筒切断ガイドシール３００を説明するための参考図である。
【００３３】
配管外装筒切断ガイドシール３００は、配管外装筒をＴ字形状に分岐させる場合の楕円に似た形状の開口を作成する際に用いることもできるし、配管外装筒に正確な円形の開口を作成する際に用いることもできる、多用途に対応できる配管外装筒切断ガイドシール３００である。
【００３４】
図１３に示すように、本考案の実施の形態３の配管外装筒切断ガイドシール３００は、略四角形であって、裏面に粘着層３１を有するシール本体３と、シール本体３の粘着層３１に貼付された剥離紙４を主に有する。シール本体３の表面すなわち粘着層３１が設けられている面とは反対の面には、ガイド線１及び寸法記載７が印刷されている。また、シール本体３の一角である右上端近傍には、シール本体３の右上角と一体となって三角形を形成する斜めに引かれた直線からなる折り線が印刷され、めくり部６が形成されている。さらに、シール本体３の全面に、縦方向に目盛り線１２が複数印刷されている。
【００３５】
配管外装筒切断用シール３００は、配管外装筒の外周面にＴ字形状に分岐した配管外装筒を形成したいときに使用する配管外装筒切断ガイドシール３００である。配管外装筒に貼付する際、配管外装筒の延伸方向に沿って目盛線１２が設けられているので、配管外装筒切断用シール３００の位置決めが容易であり、迅速に、綺麗に、正確な配管外装筒切断が可能である。
【００３６】
配管外装筒表面の開口を形成したい部分に配管外装筒切断用シール３００を貼付したら、それぞれ形成したい開口の寸法に対応したガイド線１に沿って柳刃鋏Ｙで切っていき、開口を作成する。配管外装筒切断用シール３００は、貼付した配管外装筒が透けて見えるように透明なシール本体３であることが望ましいが、不透明なシール本体３でもよい。赤色や黄色等、目立つ色に着色したシール本体３として、作業者が、作業個所すなわち開口を形成する箇所を見つけやすくしてもよい。目盛線１２が配管外装筒の延伸方向と平行になるように貼付すれば、簡単に、正確な位置に配管外装筒切断用シール３００を貼付することができる。
【００３７】
図１４に示すように、配管外装筒切断用シール３００のシール本体３の裏面には粘着層３１が設けられており、粘着層３１に接するように、シール本体３と略同形状の剥離紙４が設けられている。シール本体３の表面には、配管外装筒を切断する際の切断線を示すガイド線１が印刷されており、ガイド線１の脇には寸法記載７が印刷されている。実施の形態３の配管外装筒切断用シール３００は、配管外装筒をＴ字に組み合わせて接続する際に必要な楕円に近い開口を形成する場合に使用可能である。シール本体３には、ガイド線１のほか、ガイド線１からなる複数個の円や楕円が、どの寸法の配管外装筒に対応するかを示す寸法記載７、配管外装筒切断ガイドシール３００を貼付する際に、目安となる目盛り線１２が印刷されていて、迅速に、簡単に、正確な寸法の開口を形成できるようになっている。
【００３８】
（実施の形態４）
次に、図１５から図１７を示しながら、本考案の実施の形態４の配管外装筒切断用シール４００について説明する。図１５（ａ）は、本考案の配管外装筒切断ガイドシール４００の平面図であって、（ｂ）は、本考案の配管外装筒切断ガイドシール４００の使用方法を説明するための参考図である。図１６（ａ）及び（ｂ）は、本考案の配管外装筒切断ガイドシール４００の使用方法を説明するための参考図である。図１７は、本考案の配管外装筒切断ガイドシール４００を使用して作成した分岐配管外装筒を示す参考図である。
【００３９】
図１５（ａ）に示すように、配管切断用シール４００は、略四角形であって、裏面に粘着層３１を有するシール本体３と、シール本体３の粘着層３１に貼付された剥離紙４を主に有する。シール本体３の表面すなわち粘着層３１が設けられている面とは反対の面には、ガイド線１及び寸法記載７が印刷されている。配管切断用シール４００は、配管外装筒をＴ字形に分岐させる際に、分岐配管外装筒の切断に使用するものであり、主配管外装筒切断用の配管切断用シール１００とセットで使用される。
【００４０】
シール本体３は、ポリプロピレンを主原料とした合成紙タック紙、ポリ塩化ビニル樹脂から製造された塩ビタック紙、透明のポリエス鉄系の透明フィルムタック紙等からなる透明なシール本体３である。配管切断用シール２００は、配管外装筒に貼付したうえで、柳刃鋏で配管切断用シール２００と配管外装筒とを一緒に切断するため、配管外装筒切断用シール２００は、貼付した配管外装筒が透けて見えるように透明なシール本体３であることが望ましい。
【００４１】
図１５（ｂ）に示すように、配管外装筒切断用シール４００は、配管外装筒をＴ字形状に分岐させる際、主配管外装筒に形成した開口に挿入する分岐配管外装筒を切断するために使用する。配管外装筒切断ガイドシール４００に印刷されているガイド線１は、分岐側の分岐配管外装筒の寸法に対応したものを選択して使用する。切断したい配管外装筒の寸法にあった配管外装筒切断ガイドシール４００を、配管外装筒の外周に沿って貼付したら、図１６（ａ）に示すように、柳刃鋏Ｙで、ガイド線１より少し外側を切断していき、図１６（ｂ）に示すように、切断した端縁から、ガイド線１に向かって、切り込み１１を数箇所入れる。
【００４２】
分岐配管外装筒を切断し、切込み１１を入れたものが完成したら、図１７に示すように、あらかじめ、配管外装筒切断ガイドシール１００を貼付して形成した開口に、さきほど切断した分岐配管外装筒の先端を挿入する。挿入後、配管外装筒内部にある切り込み１１を外側に開いて、分岐配管外装筒が抜けないように固定する。その後、二本の配管外装筒のつなぎ目をシリコンコーティングで、しっかりと接着させ、分岐配管外装筒を完成させる。
【００４３】
（実施の形態５）
次に、図１８及び図１９を示しながら、実施の形態５の配管外装筒切断ガイドシール５００について説明する。図１８（ａ）は、本考案の配管外装筒切断ガイドシール５００の平面図であって、（ｂ）は、本考案の配管外装筒切断ガイドシール５００の使用方法を説明するための参考図である。図１９は、（ａ）及び（ｂ）は、本考案の配管外装筒切断ガイドシール５００の使用方法を説明するための参考図である。
【００４４】
図１８（ａ）に示すように、配管外装筒切断用シール５００は、略四角形であって、裏面に粘着層３１を有するシール本体３と、シール本体３の粘着層３１に貼付された剥離紙４を主に有する。シール本体３の表面すなわち粘着層３１が設けられている面とは反対の面には、サイン曲線であるガイド線１及び寸法記載７が印刷されている。配管外装筒切断用シール５００は、分岐配管外装筒を斜めに分岐させる際に使用するものであり、分岐配管外装筒を斜めに切断する切断面を形成する際に使用する。
【００４５】
図１８（ｂ）に示すように、配管外装筒切断用シール５００は、配管から斜め方向に外装筒を分岐させる際に、分岐配管外装筒の切断のために使用する。斜めに配管外装筒を分岐させる場合、配管外装筒は、なめらかに分岐するよう、切断することが必要であるが、配管外装筒切断ガイドシール５００を使用すれば、配管外装筒寸法に応じ、綺麗で正確に、配管外装筒を切断することができる。ガイド線１は、上下対象な1本の曲線であって、左上端から上から約４分の１近辺まで、右下に緩やかに傾斜し、そこから下方に、さらに４分の１近辺すなわち中央部分まで急な傾斜となっている曲線である。配管外装筒切断ガイドシール５００に印刷されているガイド線１は、配管外装筒の寸法に対応した曲線となっているので、切断したい配管外装筒の寸法にあった配管外装筒切断ガイドシールを用いることが必要である。切断したい配管外装筒の寸法にあった配管外装筒切断ガイドシール５００を、図１８（ｂ）に示すように、配管外装筒の外周に沿って貼付し柳刃鋏Ｙで、ガイド線１のすこし外側、ガイド線１より２センチメートルから３センチメートル外側を切っていく。すこし外側を切るのは、分岐配管外装筒をつなぐ際に、ストッパーとなる部分を作るためである。
【００４６】
図１９（ａ）に示すように、配管外装筒を、切断できたら、切断した端から、ガイド線１まで垂直に柳刃鋏Ｙを入れて、切込み１１を入れていく。切込み１１は、ガイド線１のところから折り返して、分岐配管外装筒とつないだときに、ストッパーとする。図１９（ｂ）に示すように、切込み１１は、切断面に沿って、数センチメートル幅のストッパーが複数できるように、折り曲げやすい間隔で作成するとよい。
【００４７】
配管外装筒切断用シール５００は、配管外装筒切断用シール６００と一緒に使う必要があるため、配管外装筒切断用シール５００の使用方法については、配管外装筒切断用シール６００を説明したのちに述べる。
【００４８】
（実施の形態６）
次に、図２０から図２２を示しながら、実施の形態６の配管外装筒切断ガイドシール６００について説明する。図２０（ａ）は、本考案の配管外装筒切断ガイドシール６００の平面図であって、（ｂ）は、本考案の配管外装筒切断ガイドシール６００の使用方法を説明するための参考図である。図２１（ａ）及び（ｂ）は、本考案の配管外装筒切断ガイドシール６００の使用方法を説明するための参考図である。図２２（ａ）及び（ｂ）は、本考案の配管外装筒切断ガイドシール５００及び６００を用いて配管外装筒を切断し組み立てた後の参考図である。
【００４９】
図２０（ａ）に示すように、配管外装筒切断用シール６００は、略四角形であって、裏面に粘着層３１を有するシール本体３と、シール本体３の粘着層３１に貼付された剥離紙４を主に有する。シール本体３の表面すなわち粘着層３１が設けられている面とは反対の面には、角の丸い三角形の輪郭からなるガイド線１及び寸法記載７が印刷されている。配管外装筒切断用シール６００は、配管外装筒を斜めに分岐させる際に、主配管外装筒に形成する開口を作成するために使用するものである。
【００５０】
配管外装筒切断ガイドシール６００を使用すれば、配管外装筒寸法に応じ、分岐配管外装筒を隙間なく、ぴったりと挿入できる正確な寸法の開口を作成することができる。ガイド線１は、角の丸い三角形、すなわち、おにぎりを横に倒したような形状の輪郭からなる線である。配管外装筒切断ガイドシール６００に印刷されているガイド線１は、分岐する配管外装筒の寸法に対応した曲線となっているので、切断したい配管外装筒の寸法にあった配管外装筒切断ガイドシールを用いることが必要である。切断したい配管外装筒の寸法にあった配管外装筒切断ガイドシール６００を、図２０（ｂ）に示すように、配管外装筒の外周に沿って貼付する。それから、図２１（ａ）に示すように、柳刃鋏Ｙで、ガイド線１に沿って切っていく。ガイド線１に沿って切断すると、図２１（ｂ）に示すように、開口８が形成される。
【００５１】
次に、図２２を示しながら、実施の形態５で作成した配管外装筒切断ガイドシール５００を使用して切断した分岐配管外装筒を、配管外装筒切断ガイドシー６００を使用して開口８を作成した主配管外装筒に挿入し接続する手順について説明する。
【００５２】
まず最初に、実施の形態５で作成した配管外装筒切断ガイドシール５００を使用して切断した分岐配管外装筒の切断面側の先端を、配管外装筒切断ガイドシー６００を使用して開口８を作成した主配管外装筒に挿入する。このとき、分岐配管外装筒の先端の切り込み１１は、折り返さない状態で挿入する。分岐配管外装筒の先端のガイド線１に、主配管外装筒の開口８が合うところまで挿入できたら、次は、主配管外装筒の筒の中に手を入れて、分岐配管外装筒の先端の切り込み１１を、ガイド線１の部分から外側に開くように折る。このようにすれば、分岐配管が主配管から抜け落ちないためのストッパーとなり、分岐配管外装筒と、主配管外装筒を、しっかりと接続することができる。最後に、分岐配管外装筒と、主配管外装筒のつなぎ目を、シリコンコーティングで、しっかりと固めて、配管外装筒がずれないよう固定して、配管外装筒の分岐作業が完了する。
【００５３】
配管外装筒切断ガイドシールは、本考案の実施の形態に挙げた形状以外にも、配管外装筒を十字に組み合わせたり、様々な角度の二股分岐を形成したり、様々な配管外装筒の組み合わせに対応したガイド線１を、必要に応じて作成するとよい。本考案は、上記実施形態に限定されるものではなく、本考案の要旨を逸脱しない範囲において、各種改変や変更を行ってもよい。
【符号の説明】
【００５４】
１００，２００，３００，４００，５００，６００    配管外装筒切断用シール
１  ガイド線
１１  切込み
１２  目盛線
２  中心点
３  シール本体
３１  粘着層
４  剥離紙
５  中心線
６  めくり部
７  寸法記載
８  開口
Ｋ  配管外装筒
Ｙ  柳刃鋏
【図１】
0003205731.tif 000003
【図２】
0003205731.tif 000004
【図３】
0003205731.tif 000005
【図４】
0003205731.tif 000006
【図５】
0003205731.tif 000007
【図６】
0003205731.tif 000008
【図７】
0003205731.tif 000009
【図８】
0003205731.tif 000010
【図９】
0003205731.tif 000011
【図１０】
0003205731.tif 000012
【図１１】
0003205731.tif 000013
【図１２】
0003205731.tif 000014
【図１３】
0003205731.tif 000015
【図１４】
0003205731.tif 000016
【図１５】
0003205731.tif 000017
【図１６】
0003205731.tif 000018
【図１７】
0003205731.tif 000019
【図１８】
0003205731.tif 000020
【図１９】
0003205731.tif 000021
【図２０】
0003205731.tif 000022
【図２１】
0003205731.tif 000023
【図２２】
0003205731.tif 000024